(57)【要約】【課題】１台で、フィルム挿入箇所を変えるだけで、何の操作も行わないで、幅寸法の異なる２種類のフォトフィルムを１コマ毎に切断することが可能なフォトフィルムカッター装置を提供すること。【解決手段】フォトフィルムカッター装置は、第１載置面７とこの両側に立設されたガイド壁８の上部外側に形成された第２載置面９を備えるフィルム操作部５を有する。第１載置面７と第２載置面９とは、各載置面に乗せられた幅寸法の異なるフォトフィルムの長さ方向リード端側の端部５ａで同一面に合流する。この合流部であるフィルム操作部５の端部５ａに固定刃１０と回動可能な可動刃１１とが設置されている。第１載置面７と第２載置面９との下面側には、フィルム送りローラ１５，１８が配置されている。【選択図】    図１
2004283973.tif 000002
【特許請求の範囲】
【請求項１】
幅寸法の異なる２種類の第１，２フォトフィルムをコマごとにカット可能なフォトフィルムカッター装置において、
前記第１フォトフィルムを載置する第１載置面、この第１載置面の両側に立設されたガイド壁、前記各ガイド壁の上部外側に形成され、前記第１フォトフィルムより大きな幅寸法を有する前記第２フォトフィルムの両側部を、前記第１載置面を跨架するように乗せて支持する第２載置面を備え、前記第１載置面と前記第２載置面とが、前記各載置面に乗せられた前記第１，２フォトフィルムの前記長さ方向導入端側の端部で同一面に合流するフィルム操作部と、前記第１，２載置面が合流する前記フィルム操作部の端部に、前記幅方向に設置された固定刃と、前記フィルム操作部の前記幅方向外側で回動可能に枢着され、前記固定刃と協同して前記第１，２載置面の前記第１又は第２フォトフィルムを切断する可動刃と、前記第１，２載置面の下面側に配置されたフィルム送りローラとから構成されていることを特徴とするフォトフィルムカッター装置。
【請求項２】
前記固定刃を境に前記フィルム操作部とは反対側に、カットする前記第１又は第２フォトフィルムの少なくとも１コマ分を乗せるコマ支持部が設けられ、前記コマ支持部の表面に、前記固定刃からの前記第１および第２フォトフィルムそれぞれの少なくとも１コマ分の長さ位置を表示する表示部が設けられていることを特徴とする請求項１に記載のフォトフィルムカッター装置。
【請求項３】
前記フィルム操作部と前記コマ支持部とが一体に形成されてフィルムカッター本体を構成していることを特徴とする請求項２に記載のフォトフィルムカッター装置。
【請求項４】
前記コマ支持部の前記表面が、下面側からの照明光を透過可能な透光板で形成されていることを特徴とする請求項２又は３に記載のフォトフィルムカッター装置。
【請求項５】
前記フォトフィルムカッター装置が、下部を開放した蓋ケースと、上部を開放し、前記蓋ケースに固定される底ケースと、前記蓋ケース内に配置され、前記蓋ケースと前記底ケースとの開放部どうしを合わせて固定するとき、前記両ケース間に挟まれて固定支持される前記フィルムカッター本体とから構成され、
前記蓋ケースの表面に、前記フィルムカッター本体の前記第１，２載置面と前記コマ支持部の前記表面とを外部に露出させる第１，２開口部が形成されていることを特徴とする請求項３又は４に記載のフォトフィルムカッター装置。
【発明の詳細な説明】
【０００１】
【発明の属する技術分野】
本発明はフォトフィルムカッター装置に関し、さらに詳しくは幅寸法の異なる２種類のフォトフィルムに対応することができ、各フォトフィルムを各コマごとにカットするフォトフィルムカッター装置に関する。
【０００２】
【従来の技術】
従来、写真の撮影には、幅寸法が約３５ｍｍのフィルム（３５ｍｍフィルム）と、６０ｍｍのフィルム（ブローニーフィルム）が使用されることが多い。これらフィルムは、更に、ネガフィルムやリバーサルフィルムと称されており、これらのフィルムに撮影された各コマをマウント（保管用又はスライドで映写するために額状の枠に収納すること）する場合には、該フィルムを１コマ毎に切断するフィルムカッター装置が使用されている（例えば、特許文献１参照。）。
【０００３】
特許文献１に記載されたスライドフィルムカッター装置は、両サイドにガイドが形成されたフィルム載置用の１つのステージを備え、このステージに載置されたフィルムのリード端（ステージへの導入端）側に受け刃と切断刃とが設置され、ステージに乗せられたスライドフィルムをフィルム送りによって移動させながら受け刃と切断刃とにより各コマ毎に切断するように構成されていた。
【０００４】
【特許文献１】
実用新案登録第３０３２６１３号公報（明細書段落００１４、図１，２）
【０００５】
【発明が解決しようとする課題】
しかしながら、特許文献１に記載されたスライドフィルムカッターは、例えば３５ｍｍ幅のフィルムのみについて使用可能なもので、幅寸法の異なる２種類のフィルムにおけるコマ毎の切断が行えるものではなかった。すなわち、特許文献１に記載されたスライドフィルムカッターは、特定の幅寸法を有するスライドフィルム専用のカッターであり、そのため、幅寸法が異なる別な種類のスライドフィルムの切断を行うには、そのフィルム幅に対応したステージ幅を有する別なスライドカッターを準備する必要があった。このようなことから、最も使用される３５ｍｍ幅のフィルムと６０ｍｍ幅のブローニーフィルムの２種類について、１コマ毎の切断操作を１台のフィルムカッター装置で行えることが望まれた。
【０００６】
本発明の目的は、かかる従来の問題点を解決するためになされたもので、１台で、フィルム挿入箇所を変えるだけで、何の操作も行わないで、幅寸法の異なる２種類のフォトフィルムを１コマ毎に切断することが可能なフォトフィルムカッター装置を提供することにある。
【０００７】
【課題を解決するための手段】
本発明は、幅寸法の異なる２種類の第１，２フォトフィルムをコマごとにカット可能なフォトフィルムカッター装置に関している。このフォトフィルムカッター装置は、前記第１フォトフィルムを載置する第１載置面、この第１載置面の両側に立設されたガイド壁、前記各ガイド壁の上部外側に形成され、前記第１フォトフィルムより大きな幅寸法を有する前記第２フォトフィルムの両側部を、前記第１載置面を跨架するように乗せて支持する第２載置面を備え、前記第１載置面と前記第２載置面とが、前記各載置面に乗せられた前記第１，２フォトフィルムの前記長さ方向導入端側の端部で同一面に合流するフィルム操作部と、前記第１，２載置面が合流する前記フィルム操作部の端部に、前記幅方向に設置された固定刃と、前記フィルム操作部の前記幅方向外側で回動可能に枢着され、前記固定刃と協同して前記第１，２載置面の前記第１又は第２フォトフィルムを切断する可動刃と、前記第１，２載置面の下面側に配置されたフィルム送りローラとから構成されていることを特徴とする。
【０００８】
本発明のこのフォトフィルムカッター装置は、前述した特徴に加えて、さらに、前記固定刃を境に前記フィルム操作部とは反対側に、カットする前記第１又は第２フォトフィルムの少なくとも１コマ分を乗せるコマ支持部が設けられ、前記コマ支持部の表面に、前記固定刃からの前記第１および第２フォトフィルムそれぞれの少なくとも１コマ分の長さ位置を表示する表示部が設けられていることを特徴とする。
【０００９】
この発明に係るフォトフィルムカッター装置の一実施態様として、前記フィルム操作部と前記コマ支持部とが一体に形成されてフィルムカッター本体を構成している。また、前記コマ支持部の前記表面が、下面側からの照明光を透過可能な透光板で形成されている。さらに、本発明に係るフォトフィルムカッター装置は、下部を開放した蓋ケースと、上部を開放し、前記蓋ケースに固定される底ケースと、前記蓋ケース内に配置され、前記蓋ケースと前記底ケースとの開放部どうしを合わせて固定するとき、前記両ケース間に挟まれて固定支持される前記フィルムカッター本体とから構成されていることが好ましく、その場合、前記蓋ケースの表面には、前記フィルムカッター本体の前記第１，２載置面と前記コマ支持部の表面とを外部に露出させる第１，２開口部が形成されている。
【００１０】
【発明の実施の形態】
以下、本発明に係るフォトフィルムカッター装置（以下、カッター装置、という）を図に示される実施形態について更に詳細に説明する。図１は、本発明の一実施形態に係るカッター装置１を示す斜視図、図２は、カッター装置１を構成する蓋ケース２を示す平面図、図３は、図２の蓋ケース２を左側端面から見た側面図、図４は、カッター装置１を構成するフィルムカッター本体３を示す平面図、図５は、図４のフィルムカッター本体３の左方端面を見た側面図、図６は、カッター装置１を構成する底ケース４を示す平面図、図７は、図６の７−７線で切断して底ケース４を示す断面図である。
【００１１】
カッター装置１は、既述のように３５ｍｍ幅のフィルム（以下、３５ｍｍフィルム、という）と、６０ｍｍ幅のフィルム（以下、ブローニーフィルム、という）との２種類のフォトフィルムを１コマごとにカットするものであり、下部が開放した蓋ケース２と、上部が開放し、蓋ケース２に固定される底ケース４と、蓋ケース２内に配置され、蓋ケース２と底ケース４との開放部どうしを合わせて固定するとき、両ケース２，４間に挟まれて固定支持されるフィルムカッター本体３とから構成されている。
【００１２】
フィルムカッター本体３は、図４，５に示すように３５ｍｍ幅と６０ｍｍ幅のフィルムを１コマ毎にカットするフィルム操作部５と、カットされる少なくとも１コマ分を乗せるコマ支持部６とを備え、これらフィルム操作部５とコマ支持部６とは合成樹脂材料により一体に形成されている。フィルム操作部５は、３５ｍｍフィルムを載置できる幅寸法の第１載置面７を備え、この第１載置面７の両側には、ガイド壁８が立設されている。従って、第１載置面７は、断面凹状の底面であり、この凹状の深さ、即ちガイド壁８の高さは、第１載置面７に乗せられるフィルムの厚みより僅かに大きい寸法で形成されている。
【００１３】
各ガイド壁８の上部外側には、３５ｍｍフィルムより大きな幅寸法であるブローニフィルムの両側部を、第１載置面７を跨いで乗せる第２載置面９が形成されている。そして、各第２載置面９の幅方向外方側には、ブローニーフィルムが該第２載置面９から外れないように高さの低いガイド壁９ａが形成されている。これら第１載置面７と第２載置面９とは、各載置面７，９に乗せられた３５ｍｍフィルムとブローニーフィルムの長さ方向導入端（リード端）側の端部で同一面に合流する。具体的には、第１載置面７は、ブローニーフィルムの両側部を乗せる第２載置面９から見て一段低い位置に形成されており、この第１載置面７は、フィルム操作部５の端部に近づくに連れて上方へ傾斜した傾斜面７ａとなり、最終的にフィルム操作部５の端部５ａで段差のない同一面となっている。
【００１４】
第１載置面７と第２載置面９とが合流するフィルム操作部５の端部５ａには、図４に仮想線で示すように幅方向に金属製の固定刃１０が端部５ａの端面に密着するように取り付けられている。固定刃１０の一端部は、フィルム操作部５の幅方向外側に突出している。金属製の可動刃１１は、固定刃１０に沿って設置されている。図４では、可動刃１１が省略されているが、図１には蓋ケース２の開口部からその大部分が上方へ傾斜して延びている可動刃１１が示されている。可動刃１１は、その一端部１１ａが固定刃１０の突出端１０ａに回動可能に枢着されている。可動刃１１の他端部１１ｂには把手１２が取り付けられ、この把手１２を持って可動刃１１の他端部１１ｂを上げ下げすると可動刃１１が固定刃１０との枢着部で回動して刃先どうしが摺接し、固定刃１０と可動刃１１との間にあるフィルムが切断される。
【００１５】
第１載置面７の両側部にはガイド壁８が形成されているが、これら各ガイド壁８の下端では、該ガイド壁８に沿って延びる細長い開口部１３が第１載置面７に形成されている。また、両ガイド壁８の上端からは、各開口部１３を覆うようにフィルム押さえ１４が第１載置面７上へ鍔のように張り出している。この両フィルム押さえ１４は、第１載置面７に乗せられた３５ｍｍフィルムの両側部を上部から覆って、該フィルムが該載置面７から浮き上がるのを防止するためのものである。
【００１６】
ガイド壁８に沿って延びる細長い両開口部１３において、フィルム操作部５の端部５ａ側に位置する部分には、図４に仮想線で示しているようにそれぞれ第１送りローラ１５が第１載置面７の下側に回転可能に配置され、その周面の一部は、開口部１３から第１載置面７上に僅かに突出している。２つの第１送りローラ１５は、フィルム操作部５の下側で幅方向へ延びる１本の支持軸１６に取り付けられ、この支持軸１６はフィルム操作部５の幅方向外側に設けられている軸受け部１７に回転可能に乗せられている。
【００１７】
この支持軸１６には、２つの第１送りローラ１５のそれぞれ外側にさらに２つの第２送りローラ１８が取り付けられている。各第２送りローラ１８は、フィルム操作部５の幅方向外側から内方へ向かって第２載置面９を切り欠いた凹所１９内に位置し、各第２送りローラ１８の周面の一部は、凹所１９から第２載置面９上に僅かに突出している。第１，２送りローラ１５，１８は、同一の支持軸１６に取り付けられており、しかも支持軸１６から第２載置面までの距離の方が第１載置面７までの距離より遠いことから、第２送りローラ１８の直径が第１送りローラ１５のそれより大きくされている。全部で４つの送りローラ１５，１８が取り付けられている支持軸１６の一端部には、支持軸１６を操作者の手で回転できるようにダイヤル２０が取り付けられている。
【００１８】
フィルム操作部５とともにフィルムカッター本体３を構成するコマ支持部６は、固定刃１０を境に該フィルム操作部５とは反対側に形成されている。コマ支持部６は、３５ｍｍフィルム又はブローニーフィルムをリード端側から１コマ分をカットするとき、隣接するコマ間の境界部を固定刃１０の刃上に位置決めすると、カットされる少なくとも１コマ分がフィルム操作部５の端部５ａから飛び出すので、それを乗せて支持するものである。その際、隣接するコマ間の境界を固定刃１０の刃上に正確に位置決めし易いように、コマ支持部６の表面に、固定刃１０からの少なくとも１コマ分の長さ位置を表示する表示線２１が設けられている。この表示線２１は、１コマの長さが、３５ｍｍフィルムとブローニーフィルムとでは異なるので、少なくとも２つ形成しておくことが好ましい。図示例では、３５ｍｍフィルムの場合について固定刃１０から２コマ分の長さの位置にも表示線２１が形成されている。
【００１９】
３５ｍｍフィルムやブローニーフィルムの１コマ分をカットするとき、上述のようにそれらのリード端をコマ支持部６の表面に表示された表示線２１に合わせて切断位置を決めるのであるが、最初の数コマ分についてリード端の表示線２１への位置合わせが、例えば０．１〜０．５ｍｍなどのように僅かな寸法だけずれたとしても、おおむねリード端側の１コマと隣接する次の１コマとの間の境界を切断することができる。しかし、この位置ずれが、数回続くと誤差が累積し、リード端を表示線に合わせても、切断予定のコマ間境界が固定刃１０の刃先上に正確に位置しなくなることがある。
【００２０】
そのようなことが起こるのを防ぐため、常に、コマ間境界が固定刃１０の刃先上に正確に位置しているかどうかを作業者の目で確かめながらカットすることが望まれる。しかし、フィルムの各コマに写っている画像が暗い場合には、コマ間境界をはっきり確認するのが難しく、固定刃１０の刃先上に正確に位置しているかどうかを判断できないことも想定される。そのため、光が透過可能な、例えば透明な樹脂材料からなる透光板又は白色のアクリル材からなる薄い透光板を用いてコマ支持部６を形成することが望ましい。コマ支持部６の表面が光透過性であると、コマ支持部６の下面側にライトボックス（図示せず）を配置しておけば、下面側からの強い照明光によりコマ支持部６上に位置する１コマの画像が照明されてコマ間の境界が容易に確認でき、その境界が固定刃１０の刃先上に正確に位置しているかどうかの確認を容易に行うことができる。
【００２１】
図示例では、フィルム操作部５とコマ支持部６とが、フィルムカッター本体３として一体に作られているため、フィルム操作部５とコマ支持部６との両方が透光性樹脂材料から形成されている。しかし、このカッター装置１では、主には、コマ支持部６の表面が透光性であればよいので、このコマ支持部６の表面を部分的に透光板で形成することも好ましい。もちろん、フィルム操作部５も透光性の樹脂材料などで形成されていれば、カットするコマを第１，２載置面７，９を介して見ることができるので、フィルムカット操作がし易くなる。
【００２２】
このカッター装置１は、前述したように下部が開放した蓋ケース２と、上部が開放した底ケース４と、フィルムカッター本体３とから構成されていて、蓋ケース２と底ケース４とが、それらの開放部どうしを合わせて固定されるとき、フィルムカッター本体３は、両ケース２，４間に挟まれて固定支持される。フィルムカッター本体３が両ケース２，４間に挟まれて組み立てられるとき、フィルムカッター本体３のフィルム操作部５とコマ支持部６が対応する蓋ケース２の表面位置には、第１，２開口部２２、２３が形成されている。その結果、フィルム操作部５とコマ支持部６とは、蓋ケース２の各開口部２２，２３から外部に露出する。
【００２３】
コマ支持部６が露出する第２開口部２３の大きさと形状は、図１に示すように可動刃１１の大部分が該開口部２３から外側へ出て、その内周縁の一辺２３ａに沿って上下動し得るように設計されている。蓋ケース２の表面において、第１，２開口部２２，２３間の一側部には小さな第３開口部２４が形成されている。この第３開口部２４からは、送りローラ回転用の支持軸１６に装着されたダイヤル２０の周面が部分的に突出し、蓋ケース２の外側からダイヤル２０を操作して送りローラ１５，１８を回転させられるようになっている。
【００２４】
フイルムカッター本体３が、蓋ケース２と底ケース４との間に挟まれるようにして組み立てられるとき、フィルムカッター本体３におけるフィルム操作部５の第２載置面９に設けられているガイド壁９ａの上端が、蓋ケース２表面の内面に当接して、第２載置面９と蓋ケース２表面の内面との間にほぼフィルム厚み程度の僅かな隙間を形成する。この隙間が、フィルムの通路となる。したがって、第１載置面７に乗せられた３５ｍｍフィルムおよび第２載置面９に乗せられたブローニーフィルムのリード端を、そのその隙間を通って両載置面７，９の合流部から、即ちフィルム操作部５の端部５ａを越えてコマ支持部６側へ送り出すことができる。
【００２５】
次に、カッター装置１によって３５ｍｍフィルムとブローニーフィルムとの各コマをカットする方法を簡単に説明すると、３５ｍｍフィルムの場合には、図１に示すカッター装置１の左側に位置する第１載置面７から該フィルムを差し込む。そのとき、フィルムの両側部は、各開口部１３から突出している第１送りローラ１５とフィルム押さえ１４との間に挟まれる。そこで、蓋ケース２の第３開口部２４から突出しているダイヤル２０を回してフィルムを送り、リード端をコマ支持部６へ出して適宜の表示線２１に合わせると共にコマ間の境界が固定刃１０の刃先上に位置しているかどうかを目視で確認する。その後、可動刃１１の把手１２を持って下へ下げると、１コマがカットされる。
【００２６】
ブローニーフィルムの場合には、第１載置面７を跨いでその両側部が各第２載置面９に載るようにフィルム操作部５に乗せ、蓋ケース２表面の内面とフィルム操作部５との隙間に差し込む。そのとき、フィルムの両側部は、各凹所１９から突出している第２送りローラ１８と蓋ケース２表面の内面との間に挟まれる。そこで、蓋ケース２の第３開口部２４から突出しているダイヤル２０を回してフィルムを送り、リード端をコマ支持部６へ出して適宜の表示線２１に合わせると共にコマ間の境界が固定刃１０の刃先上に位置しているかどうかを目視で確認する。その後、可動刃１１の把手１２を持って下へ下げると、１コマがカットされる。
【００２７】
いずれのフィルムの場合においても、所定の１コマ又は２コマをカットした後に、次のコマをカットするときには、可動刃１１を上げた後に、ダイヤル２０を回転して、フィルムをコマ支持部６の方向へ送り、次の１コマ又は２コマをフィルム操作部５の端部５ａからコマ支持部６へ送り出して位置決めをする。そして、再び可動刃１１を下げれば、所定のコマがカットされる。その後は、この操作を繰り返す。
【００２８】
なお、蓋ケース２、フィルムカッター本体３および底ケース４がカッター装置１として組み立てられたとき、フィルムカッター本体３のコマ支持部６の直下に位置する底ケース４の表面部分には、図６，７に示すように第１窓２５が形成されている。この第１窓２５は、このカッター装置１をライトボックスの上に載せて作業するとき、ライトボックスからの照明光をフィルムカッター本体３のコマ支持部６表面に到達させるためのものである。したがって、第１窓２５は、開口のままでもよいが、カッター装置１の内部に塵埃が進入するのを防止するため、透光板で塞いでおくことが望ましい。図示例では、フィルムカッター本体３のフィルム操作部５、特に第１載置面７の直下に位置する底ケース４の表面部分にも第２窓２６を開けて、ライトボックスからの照明光をフィルム操作部５の第１載置面７にも到達させるようにしている。
【００２９】
前述した実施形態では、３５ｍｍフィルムとブローニーフィルムとの２種類のフィルムについて、このカッター装置１でコマ毎の切断を行う場合について説明したが、第１載置面７と第２載置面９の幅寸法を適宜設計することにより、あらゆる幅寸法の２種類のフィルムについてコマ毎の切断が可能なカッター装置１を製作することができる。
【００３０】
【発明の効果】
本発明に係るフォトフィルムカッター装置によれば、第１載置面の両側上部に第２載置面を形成し、幅寸法の異なる２種類のフィルムのコマ毎の切断を１台で行うことができるようにしたので、種類の異なるフォトフィルムのコマ毎の切断を行うときに、従来のようにそれぞれ専用のカッター装置を準備する必要がなく、非常に経済的かつ能率的に行うことができる。
すなわち、本発明に係るフォトフィルムカッター装置は、フィルム挿入箇所を変えるだけで、何の操作も行わないで、幅寸法の異なる２種類のフォトフィルムを１コマ毎に切断することができる。
【図面の簡単な説明】
【図１】本発明の一実施形態に係るフォトフィルムカッター装置を示す斜視図である。
【図２】フォトフィルムカッター装置を構成する蓋ケースを示す平面図である。
【図３】図２の蓋ケースを左側端面から見た側面図である。
【図４】フォトフィルムカッター装置を構成するフィルムカッター本体を示す平面図である。
【図５】図４のフィルムカッター本体の左方端面を見た側面図である。
【図６】フォトフィルムカッター装置を構成する底ケースを示す平面図である。
【図７】図６の７−７線で切断して底ケースを示す断面図である。
【符号の説明】
１  フォトフィルムカッター装置
２  蓋ケース
３  フィルムカッター本体
４  底ケース
５  フィルム操作部
５ａ  フィルム操作部の端部
６  コマ支持部
７  第１載置面
８  ガイド壁
９  第２載置面
１０  固定刃
１１  可動刃
１２  把手
１３  開口部
１４  フィルム押さえ
１５  第１送りローラ
１６  支持軸
１７  軸受け部
１８  第２送りローラ
１９  凹所
２０  ダイヤル
２１  表示線
２２，２３  蓋ケースの第１，２開口部
２３ａ  第２開口部の内周辺の一辺
２４  第３開口部
２５，２６  第１，２窓
【図１】
2004283973.tif 000003
【図２】
2004283973.tif 000004
【図３】
2004283973.tif 000005
【図４】
2004283973.tif 000006
【図５】
2004283973.tif 000007
【図６】
2004283973.tif 000008
【図７】
2004283973.tif 000009